(57)【特許請求の範囲】
【請求項１】
可撓性を有する長尺なバンド体と、該バンド体を挿通する挿通孔を画成したフランジ体と、パネルの取付孔に係着する脚体とを一体に備え、バンド体は、その一面側に係止列歯を連続して形成し、フランジ体は、その挿通孔の下縁に該係止列歯と係止するロック爪を有する弾性舌片を垂設したハーネスバンドにおいて、該ロック爪を有する弾性舌片は、上記脚体をパネルの取付孔に係着した時に、パネルの取付孔内に入り込めるように延長され、該弾性舌片のロック爪は、脚体をパネルの取付孔に係着した状態では、パネルの板厚と重複する範囲内に位置し、当該弾性舌片がそのロック爪をバンド体の係止列歯から外れる方向に撓んだ時には、弾性舌片のロック爪と背向する外面がパネルの取付孔の内周面に当接し、且つ、上記バンド体を弾性舌片で挟む方向が脚体のパネルの取付孔の孔縁に係止する肩部の開閉方向と異なることを特徴とするハーネスバンド。
【請求項２】
可撓性を有する長尺なバンド体と、該バンド体を挿通する挿通孔を画成したフランジ体と、パネルの取付孔に係着する脚体とを一体に備え、バンド体は、その一面側に係止列歯を連続して形成し、フランジ体は、その挿通孔の下縁に該係止列歯と係止するロック爪を有する弾性舌片を垂設して、板厚の異なるパネルに共用して適用されるハーネスバンドであって、弾性舌片は、その長さ方向に沿って複数のロック爪を形成して、上記脚体をパネルの取付孔に係着した時には、該複数のロック爪の内、フランジ体に近い側のロック爪は、板厚の薄いパネルの取付孔内には入り込まず、フランジ体から離れた側のロック爪は、パネルの板厚の如何に拘わらず、パネルの取付孔内に入り込むことを特徴とするハーネスバンド。
【請求項３】
弾性舌片の先端部外面に先細りテーパー部を形成すると共に、該先細りテーパー部の下位に挿通孔と一致する通孔を画成した拘束ガイド壁を設けて、該拘束ガイド壁の肉厚を上記先細りテーパー部の先端肉厚よりも厚く、且つ、弾性舌片の肉厚よりも薄くなるように設定したことを特徴とする請求項１又は請求項２のいずれかに記載のハーネスバンド。
【発明の詳細な説明】
【技術分野】
【０００１】
本発明は、例えば、自動車の内部に配線されるハーネスを結束して所定のパネルに固定するハーネスバンドに関するものである。
【背景技術】
【０００２】
従来のこの種ハーネスバンドは、具体的には図示しないが、合成樹脂の一体成形品で、可撓性を有する長尺なバンド体と、該バンド体を挿通する挿通孔を画成したフランジ体と、パネルに穿設された取付孔に係着する弾性変形可能な脚体とを一体に備え、特に、バンド体に対しては、その外面側に係止列歯を連続して形成し、フランジ体に対しては、その挿通孔の下縁に弾性舌片を垂設して、該弾性舌片の内側に上記係止列歯と係止するロック爪を形成する構成となっている（例えば、特許文献１参照）。
【０００３】
そして、実際の使用に際しては、上記長尺なバンド体の内面側でハーネスを抱持する状態を得て、バンド体の自由端部をフランジ体の挿通孔内に挿入して、当該バンド体の自由端部をフランジ体の挿通孔内から引き出せば、バンド体の外面に形成されている係止列歯に弾性舌片の内側に形成されているロック爪が係止して、ハーネスを結束状態に保持できるので、後は、弾性変形可能な脚体をパネルの取付孔に係着すれば、これにより、ハーネスが結束状態のまま当該パネルに固定されることとなる。
【先行技術文献】
【特許文献】
【０００４】
【特許文献１】実用新案登録第２５９５４５６号公報
【発明の概要】
【発明が解決しようとする課題】
【０００５】
従って、従来のハーネスバンドにあっては、簡単な作業で、ハーネスを結束して固定できる利点を有するものであるが、最近は、車載電子機器の台数増大に伴うハーネス本数の増大や車載電子機器の出力増大に伴うハーネス太さの増大による質量の増大を招来しているが、一方では、ハーネスバンドに対する一層の小型化の要請が強まっており、より小型なハーネスバンドでハーネスを強固に保持することが必要になっている。
【課題を解決するための手段】
【０００６】
本発明は、斯かる従来のハーネスバンドが抱える課題を有効に解決するために開発されたもので、請求項１記載の発明は、可撓性を有する長尺なバンド体と、該バンド体を挿通する挿通孔を画成したフランジ体と、パネルの取付孔に係着する脚体とを一体に備え、バンド体は、その一面側に係止列歯を連続して形成し、フランジ体は、その挿通孔の下縁に該係止列歯と係止するロック爪を有する弾性舌片を垂設したハーネスバンドにおいて、該ロック爪を有する弾性舌片は、上記脚体をパネルの取付孔に係着した時に、パネルの取付孔内に入り込めるように延長され、該弾性舌片のロック爪は、脚体をパネルの取付孔に係着した状態では、パネルの板厚と重複する範囲内に位置し、当該弾性舌片がそのロック爪をバンド体の係止列歯から外れる方向に撓んだ時には、弾性舌片のロック爪と背向する外面がパネルの取付孔の内周面に当接し、且つ、上記バンド体を弾性舌片で挟む方向が脚体のパネルの取付孔の孔縁に係止する肩部の開閉方向と異なることを特徴とする。
【０００７】
請求項２記載の発明は、可撓性を有する長尺なバンド体と、該バンド体を挿通する挿通孔を画成したフランジ体と、パネルの取付孔に係着する脚体とを一体に備え、バンド体は、その一面側に係止列歯を連続して形成し、フランジ体は、その挿通孔の下縁に該係止列歯と係止するロック爪を有する弾性舌片を垂設して、板厚の異なるパネルに共用して適用されるハーネスバンドであって、弾性舌片は、その長さ方向に沿って複数のロック爪を形成して、上記脚体をパネルの取付孔に係着した時には、該複数のロック爪の内、フランジ体に近い側のロック爪は、板厚の薄いパネルの取付孔内には入り込まず、フランジ体から離れた側のロック爪は、パネルの板厚の如何に拘わらず、パネルの取付孔内に入り込むことを特徴とする。
【０００８】
請求項３記載の発明は、請求項１又は請求項２を前提として、弾性舌片の先端部外面に先細りテーパー部を形成すると共に、該先細りテーパー部の下位に挿通孔と一致する通孔を画成した拘束ガイド壁を設けて、該拘束ガイド壁の肉厚を上記先細りテーパー部の先端肉厚よりも厚く、且つ、弾性舌片の肉厚よりも薄くなるように設定したことを特徴とする。
【発明の効果】
【０００９】
依って、請求項１記載の発明にあっては、ロック爪を有する弾性舌片をパネルの取付孔の内部まで入り込ませて、パネルの取付孔の内周面と狭い間隔で対峙させる関係で、適応されるパネルの板厚の如何に拘わらず、弾性舌片がそのロック爪をバンド体の係止列歯から外れる方向に撓んだ時には、当該弾性舌片のロック爪と背向する外面が取付孔の内周面と当接して、ロック爪と係止列歯との係止が外れないようにできるので、常に、ハーネスを強固に保持することが可能となる。
【００１０】
又、請求項１記載の発明にあっては、弾性舌片のロック爪は、脚体がパネルの取付孔に係着している状態では、パネルの板厚と重複する範囲に位置する関係で、例え、弾性舌片がそのロック爪をバンド体の係止列歯から外れる方向に撓んだとしても、ロック爪が係止列歯から外れることが絶対にない。
【００１１】
請求項２記載の発明にあっては、ハーネスへの締め付け作業時、つまり、バンド体の係止列歯がロック爪にパチパチと音を立てながら摺接する過程では、ロック爪の先端が係止列歯と強く擦れて、むしれたり・磨耗したり、或いは、自動機を用いて高速で締め付けると、熱を発して溶ける恐れがあるが、このような損傷したロック爪は、最早、係止列歯との強固な係止状態を得ることができなくなるところ、本請求項記載の発明の下では、弾性舌片に複数のロック爪を形成して、上記のような損傷の生じる可能性のないフランジ体から離れた側のロック爪に着目することとし、当該フランジ体から離れた側のロック爪を、適用されるパネルの板厚の如何に拘わらず、パネルの取付孔内に必ず入り込ませる関係で、脚体がパネルの取付孔に係着した後は、少なくとも、フランジ体から離れた側のロック爪がバンド体の係止列歯から外れることを有効に防止できるので、常に、ハーネスを強固に保持することが可能となる。
【００１２】
請求項３記載の発明にあっては、脚体をパネルの取付孔に挿入する時には、弾性舌片の肉厚よりも薄い拘束ガイド壁を挿入すれば良いので、作業が良好となり、一旦、挿入した後は、単に、押し込むだけで良いが、この時には、弾性舌片の先細りテーパー部の先端肉厚よりも拘束ガイド壁の肉厚の方が厚いので、弾性舌片がパネルの取付孔の孔縁に引っ掛かることが決してない。
【図面の簡単な説明】
【００１３】
【図１】本発明の実施例に係るハーネスバンドを示す正面図である。
【図２】同ハーネスバンドを示す側面図である。
【図３】（Ａ）は図１のＡ−Ａ線断面図、（Ｂ）は同要部拡大図である。
【図４】図１のＢ−Ｂ線断面図である。
【図５】フランジ体の挿通孔内にバンド体を挿入した状態を示す要部断面図である。
【図６】ハーネスバンドを板厚の厚いパネルに固定した状態を示す要部断面図である。
【図７】ハーネスバンドを板厚の厚いパネルに固定した状態を示す要部断面図である。
【図８】図６のＣ−Ｃ線断面図である。
【図９】ハーネスバンドを板厚の薄いパネルに固定した状態を示す要部断面図である。
【図１０】パネルの取付孔が楕円形状のものに実施応用した状態を示す要部断面図である。
【発明を実施するための最良の形態】
【００１４】
本発明は、ロック爪を有する弾性舌片をパネルの取付孔の内部まで入り込ませて、パネルの取付孔の内周面と狭い間隔で対峙させることにより、パネルの板厚の如何に拘わらず、弾性舌片がそのロック爪をバンド体の係止列歯から外れる方向に撓んだ時には、当該弾性舌片のロック爪と背向する外面が取付孔の内周面と当接して、ロック爪と係止列歯との係止が外れないようにして、常に、係止列歯とロック爪の確実・強固な係止状態を得ようとするものである。
【実施例】
【００１５】
以下、本発明を図示する好適な実施例に基づいて詳述すれば、該実施例に係るハーネスバンドも、従来と同様に、合成樹脂の一体成形品で、図１乃至図４に示す如く、可撓性を有する長尺なバンド体１と、該バンド体１の基端部１ａに連設されてバンド体１を挿通する挿通孔３を画成した円盤状のフランジ体２と、該フランジ体２の下面から垂設する弾性変形可能な錨状の脚体４とを一体に備え、バンド体１に対しては、その外面側の長手方向に鋸歯状を呈する係止列歯５を連続して形成し、フランジ体２に対しては、その対向縁に一対の翼片６を斜設すると共に、挿通孔３の下縁に上記係止列歯５と係止するロック爪８を有する弾性舌片７を垂設することを前提とするものであるが、特徴とするところは、以下の構成を採用した点にある。
【００１６】
即ち、本実施例にあっては、図示する如く、上記フランジ体２の下面に垂設される弾性舌片７を、上記脚体４がパネルの取付孔に係着した時に、パネルの取付孔内に入り込めるように延長して、換言すれば、脚体４のパネルの取付孔の孔縁に係止する肩部４ａよりも先端側まで延長して、該延長された弾性舌片７の内側長さ方向に沿って２個のロック爪８を形成すると共に、弾性舌片７の先端部外面に先細りテーパーガイド部７ａを形成する一方、弾性舌片７の全長外面にパネルの取付孔の孔径と一致する曲面９を積極的に付与する構成となしたものである。
【００１７】
図中、１０は、延長された弾性舌片７の下方に設けられた拘束ガイド壁で、脚体４の錨形状を画成する中央軸部４ｂとの間に上記挿通孔３と一致する通孔１１を画成して、挿通孔３から挿入されたバンド体１の自由端部１ｂを当該通孔１１内に導いて、バンド体１の自由端部１ｂ側が外方へ開くことを阻止することにより、脚体４のパネルの取付孔への挿入作業が困難となることを防止すると共に、挿入作業前又は挿入作業中に、バンド体１の自由端部１ｂがパネル面に干渉することを阻止することにより、最終的には、ロック爪８が係止列歯５から不用意に外れることを防止するものである。又、この脚体４の錨形状を画成する中央軸部４ｂの外面に対しても、上記した弾性舌片７と同様に、パネルの取付孔の孔径と一致する曲面１２を積極的に付与するものとする。
【００１８】
更に、図３のＢに示す如く、上記拘束ガイド壁１０の肉厚をＨ１とし、弾性舌片７の肉厚をＨ２とし、弾性舌片７の先細りテーパーガイド部７ａの先端肉厚をＨ３とした場合に、本実施例にあっては、Ｈ３＜Ｈ１＜Ｈ２の関係を成立させるものとする。
【００１９】
依って、斯かる構成のハーネスバンドの使用に際しては、従来と同様に、長尺なバンド体１の内面側でハーネスＨを抱持する状態を得て、バンド体１の自由端部１ｂをフランジ体２の挿通孔３内に挿入して、当該バンド体１の自由端部１ｂを上記通孔１１を経て反対側へ引き出すと、本実施例にあっては、図５に示す如く、その延長された長寸法を利用して、弾性舌片７自体がロック爪８を伴って外方へ柔軟に撓むことが可能となる。この為、この弾性舌片７のパネルの取付孔内に入り込む長さによって得られた柔軟さによって、ロック爪８と係止列歯５の間に働く荷重と面圧が十分に小さくなるので、例え、高速で、バンド体１の自由端部１ｂをフランジ体２の挿通孔３内に挿入する場合でも、その内側に形成されているロック爪８が削られて、係止列歯５との確実・強固な係止状態が得られなくなる心配がない。
【００２０】
従って、これにより、バンド体１の外面に形成されている係止列歯５と弾性舌片７の内側に形成されているロック爪８とが係止して、ハーネスＨが結束状態に保持されることとなるので、後は、弾性変形可能な脚体４をパネルＰの取付孔Ｐａに係着すれば、図６乃至図８に示す如く、錨状の脚体４の各肩部４ａが取付孔Ｐａの孔縁に弾性的に係止するので、これにより、ハーネスＨが結束状態のまま当該パネルＰに固定されることとなる。
【００２１】
尚、この場合には、脚体４と一緒に、弾性舌片７もパネルＰの取付孔Ｐａ内に挿入されることとなるが、当該弾性舌片７の先端部外面には先細りテーパーガイド部７ａが形成され、しかも、既述した如く、寸法的には、Ｈ３＜Ｈ１＜Ｈ２の関係が成立しているので、最初は、弾性舌片７の肉厚よりも薄い拘束ガイド壁１０が取付孔Ｐａ内に挿入されて、その挿入作業が良好となり、一旦、取付孔Ｐａ内に挿入されると、単に、押し込むだけで良いが、この時には、弾性舌片７の先細りテーパーガイド部７ａの先端肉厚が最も薄いので、弾性舌片７の先端側はパネルＰの取付孔Ｐａの孔縁には引っ掛かることがないので、弾性舌片７はパネルＰの取付孔Ｐａ内にスムーズに挿入されて、孔縁に当接して捲くれ上がることが決してない。
【００２２】
又、弾性舌片７が取付孔Ｐａ内に挿入される際には、長い範囲に亘って設けられた先細りテーパーガイド部７ａが取付孔Ｐａの孔縁によってガイドされることにより、拘束ガイド壁１０の肉厚よりも厚い弾性舌片７の背面が取付孔Ｐａ内にスムーズに入り込んで、取付孔Ｐａの内周面と近接又は当接した関係で対峙することとなる。
【００２３】
しかも、このパネルＰに対する固定状態にあっては、図示する如く、上記の弾性舌片７が脚体４のパネルＰの取付孔Ｐａの孔縁に係止する肩部４ａよりも先端側まで延長しているので、当該弾性舌片７がそのロック爪８を係止列歯５から外れる方向に撓もうとすると、弾性舌片７の曲面９が付与された外面が取付孔Ｐａの内周面と当接して、取付孔Ｐａの内周面から強いバックアップ力を受けることとなるので、バンド体１側の係止列歯５と弾性舌片７側のロック爪８との確実・強固な係止状態が得られると共に、ハーネスバンド自体のグラツキをも効果的に防止できる。
【００２４】
尚、この場合には、比較的板厚の厚いパネルＰを対象としたものであるから、特に、図７から明らかな如く、フランジ体２に近い側のロック爪８とフランジ体２から離れた側のロック爪８とは、いずれも、パネルＰの取付孔Ｐａ内に入り込んで、パネルＰの板厚と重複する範囲内に位置することとなるので、例え、弾性舌片７がそのロック爪８をバンド体１の係止列歯５から外れる方向に撓んだとしても、ロック爪８が係止列歯５から外れることが絶対にない。
【００２５】
又、板厚の薄いパネルＰを対象とした場合には、図９に示す如く、弾性舌片７の先端は、少なくとも、脚体４のパネルＰの取付孔Ｐａの孔縁に係止する肩部４ａまでは延長されており、且つ、フランジ体２から離れた側のロック爪８は、脚体４がパネルＰの取付孔Ｐａに係着した状態では、パネルＰの板厚と重複する範囲内に位置しているので、やはり、弾性舌片７がそのロック爪８を係止列歯５から外れる方向に撓もうとすると、当該弾性舌片７の曲面９が付与された外面が取付孔Ｐａの内周面と当接して、取付孔Ｐａの内周面から強いバックアップ力を受けることとなる。
【００２６】
従って、本実施例の下では、適用されるパネルＰの板厚の如何に拘わらず、常に、弾性舌片７のロック爪８と背向する外面が取付孔Ｐａの内周面と当接して、取付孔Ｐａの内周面から強いバックアップ力を受けることとなるので、バンド体１側の係止列歯５と弾性舌片７側のロック爪８との確実・強固な係止状態が得られると共に、ハーネスバンド自体のグラツキをも効果的に抑えることができる訳である。
【００２７】
尚、上記の説明に際しては、パネルＰに穿設される取付孔Ｐａが丸孔の場合を示したが、本発明は、これに限定されるものではなく、例えば、図１０に示す如く、取付孔Ｐａが楕円形状の場合にも実施応用できるものである。尚、この場合には、取付孔Ｐａの形状から、弾性舌片７の外面に付与される曲面９や中央軸部４ｂの外面に付与される曲面１２は不要となる。
【産業上の利用可能性】
【００２８】
本発明に係るハーネスバンドは、バンド体側の係止列歯と弾性舌片側のロック爪との確実・強固な係止状態が得られるので、特に、自動車の内部に配線されるハーネスを結束してパネルに固定するような場合には、頗る好都合なものとなる。
【符号の説明】
【００２９】
１    バンド体
１ａ  バンド体の基端部
１ｂ  バンド体の自由端部
２    フランジ体
３    挿通孔
４    脚体
４ａ  脚体の肩部
４ｂ  脚体の中央軸部
５    係止列歯
６    翼片
７    弾性舌片
７ａ  弾性舌片のテーパーガイド部
８    ロック爪
９    弾性舌片の曲面
１０  拘束ガイド壁
１１  通孔
１２  中央軸部の曲面
Ｈ    ハーネス
Ｐ    パネル
Ｐａ  パネルの取付孔
【図１】
0005008982.tif 000002
【図２】
0005008982.tif 000003
【図３】
0005008982.tif 000004
【図４】
0005008982.tif 000005
【図５】
0005008982.tif 000006
【図６】
0005008982.tif 000007
【図７】
0005008982.tif 000008
【図８】
0005008982.tif 000009
【図９】
0005008982.tif 000010
【図１０】
0005008982.tif 000011